(57)【要約】【課題】バッテリーポストに対する固定力が低下するのを防止する。【解決手段】バッテリーターミナル１０は、バッテリーポスト９０の周りを取り囲む有端環状の包囲部１１と、包囲部１１の両端から互いに対向して突出する一対の締付片１２とを備える。両締付片１２に孔１７が貫通して形成され、両孔１７にボルト６０の軸部６１が通され、ボルト６０の頭部６２とナット７０との間で両締付片１２が互いに接近する向きに締め付けられることにより、包囲部１１が縮径して、バッテリーポスト９０に固定される。両締付片１２のうちの一方には、ボルト６０の軸部６１が貫通する筒部２９が前記孔１７の周囲に突出して形成されている。【選択図】図８
2011134655.tif 000002
【特許請求の範囲】
【請求項１】
バッテリーポストの周りを取り囲む有端環状の包囲部と、
前記包囲部の両端から互いに対向して突出する一対の平板状をなす締付片とを備え、
前記両締付片に孔が貫通して形成され、前記両孔にボルトの軸部が通され、前記ボルトの頭部とナットとの間で前記両締付片が互いに接近する向きに締め付けられることにより、前記包囲部が縮径して、前記バッテリーポストに固定されるバッテリーターミナルであって、
前記両締付片のうち少なくとも一方の締付片には、筒部が、前記孔の周囲に突出して形成されていることを特徴とするバッテリーターミナル。
【請求項２】
前記筒部に、前記ボルトの軸部が貫通して挿入される請求項１記載のバッテリーターミナル。
【請求項３】
前記筒部が、前記一方の締付片から他方の締付片側に突出して形成され、前記両締付片が締め付けられた状態では、前記筒部の突出端が前記他方の締付片に当接する請求項１又は２記載のバッテリーターミナル。
【請求項４】
前記締付片には、その縁部から折り返されて、その折り返しの外側面に前記ボルトの頭部又は前記ナットが当接する折曲片が形成されていることを特徴とする請求項１ないし３のいずれか１項記載のバッテリーターミナル。
【請求項５】
前記折曲片が、前記締付片の周方向に４つ以上に分割して形成されている請求項４記載のバッテリーターミナル。
【発明の詳細な説明】
【技術分野】
【０００１】
本発明は、バッテリーターミナルに関する。
【背景技術】
【０００２】
特許文献１には、従来のバッテリーターミナルが開示されている。このものは、バッテリーポストの周りを取り囲む有端環状の包囲部と、包囲部の両端から互いに略平行に突出する一対の平板状をなす締付片とを備えている。両締付片には、それぞれ同軸で貫通する孔が形成されている。両孔にはボルトの軸部が通され、軸部の先端部にはナットが螺着されている。そして、ナットが軸部にねじ込まれることにより、ボルトの頭部とナットとの間に両締付片が互いに接近する向きに締め付けられる。両締付片の締め付けに伴い、包囲部が縮径して、バッテリーターミナルがバッテリーポストに固定されるようになっている。
【先行技術文献】
【特許文献】
【０００３】
【特許文献１】特開平８−２０３５８７号公報
【発明の概要】
【発明が解決しようとする課題】
【０００４】
ところで、ボルトとナットによる締め付け力が締付片に加わると、締付片がその平面性を保つことができずに塑性変形することがあった。そうすると、締付片の変形の影響がこの締付片に連なる包囲部にも及び、包囲部も変形する結果、バッテリーポストに対する固定力が低下するおそれがあった。
【０００５】
本発明は上記のような事情に基づいて完成されたものであって、バッテリーポストに対する固定力が低下するのを防止することを目的とする。
【課題を解決するための手段】
【０００６】
上記の目的を達成するための手段として、請求項１の発明は、バッテリーポストの周りを取り囲む有端環状の包囲部と、前記包囲部の両端から互いに対向して突出する一対の平板状をなす締付片とを備え、前記両締付片に孔が貫通して形成され、前記両孔にボルトの軸部が通され、前記ボルトの頭部とナットとの間で前記両締付片が互いに接近する向きに締め付けられることにより、前記包囲部が縮径して、前記バッテリーポストに固定されるバッテリーターミナルであって、前記両締付片のうち少なくとも一方の締付片には、筒部が、前記孔の周囲に突出して形成されているところに特徴を有する。
【０００７】
請求項２の発明は、請求項１に記載のものにおいて、前記筒部に、前記ボルトの軸部が貫通して挿入されるところに特徴を有する。
【０００８】
請求項３の発明は、請求項１又は２に記載のものにおいて、前記筒部が、前記一方の締付片から他方の締付片側に突出して形成され、前記両締付片が締め付けられた状態では、前記筒部の突出端が前記他方の締付片に当接するところに特徴を有する。
【０００９】
請求項４の発明は、請求項１ないし３のいずれか１項に記載のものにおいて、前記締付片には、その縁部から折り返されて、その折り返しの外側面に前記ボルトの頭部又は前記ナットが当接する折曲片が形成されているところに特徴を有する。
【００１０】
請求項５の発明は、請求項４に記載のものにおいて、前記折曲片が、前記締付片の周方向に４つ以上分割して形成されているところに特徴を有する。
【発明の効果】
【００１１】
＜請求項１の発明＞
両締付片のうち少なくとも一方の締付片には筒部が孔の周囲に突出して形成されているから、締付片がボルトとナットによる締め付け力を受けたときに、その応力が筒部側により大きく作用して、締付片の平面性を保つことができる。したがって、締付片ひいては包囲部が塑性変形するのが回避され、バッテリーポストに対する良好な固定力が確保される。
【００１２】
＜請求項２の発明＞
筒部にボルトの軸部が貫通して挿入されるから、締め付け時における軸部の軸心のぶれが防止される。
【００１３】
＜請求項３の発明＞
両締付片が締め付けられると、筒部の突出端が他方の締付片に当接するから、その当接位置からの締め付け動作が規制され、両締付片への過度締めが回避される。
【００１４】
＜請求項４の発明＞
締付片にはその縁部から折り返されて折り返しの外周面にボルトの頭部又はナットが当接する折曲片が形成されているから、折曲片のスプリングバックによってボルトとナットが緊密に螺着され、ボルトとナットの緩みが防止される。この場合、ワッシャが不要とされるため、部品点数が削減される。
【００１５】
＜請求項５の発明＞
折曲片が周方向に４つ以上分割して形成されているから、折曲片のスプリングバック作用方向がボルトの頭部又はナットの周方向に略均等に分散され、ボルトとナットの緩みがより確実に防止される。
【図面の簡単な説明】
【００１６】
【図１】本発明の実施形態１に係るバッテリーターミナルの平面図である。
【図２】バッテリーターミナルの側面図である。
【図３】バッテリーターミナルの正面図である。
【図４】筒部を有する締付片の拡大斜視図である。
【図５】締め付け前のバッテリーターミナルの側面図である。
【図６】締め付け前のバッテリーターミナルの正面図である。
【図７】締め付け後のバッテリーターミナルの側面図である。
【図８】締め付け後のバッテリーターミナルの正面図である。
【図９】参考例に係るバッテリーターミナルの平面図である。
【図１０】バッテリーターミナルの側面図である。
【図１１】バッテリーターミナルの正面図である。
【発明を実施するための形態】
【００１７】
＜実施形態１＞
本発明の実施形態１を図１ないし図８によって説明する。実施形態１に係るバッテリーターミナル１０は、プレスにより所定形状に打ち抜かれた金属板材を曲げ加工等して一体に成形され、図１及び図２に示すように、バッテリーポスト９０に接続される包囲部１１と、包囲部１１をバッテリーポスト９０に締め付け固定する一対の締付片１２とを備えている。ここで、バッテリーポスト９０は、上端側へ向けて次第に径が小さくなったテーパ状の円柱形に形成されている。
【００１８】
包囲部１１は、バッテリーポスト９０の外周を取り囲むように形成され、バッテリーポスト９０とほぼ同じテーパ角度で上端側へ向けて次第に径が小さくなるとともに、その周方向における所定幅が開放された有端の円環状をなしている。包囲部１１は、縮径変形可能とされており、縮径前の状態では、バッテリーポスト９０に遊嵌状態で配置されている。
【００１９】
包囲部１１の後端側（開放端とは反対側）にはバレル部１３が形成されている。バレル部１３は、包囲部１１の上端から後方へ折り曲げられて延びる天井部１４と、天井部１４の両側縁から下方へ突出する一対の圧着片１５とからなる。バレル部１３は、図５に示すように、電線８０の芯線８１に対して両圧着片１５をかしめ付けることにより、電線８０との接続を行うようになっている。
【００２０】
両締付片１２は、包囲部１１の前端となる開放端から互いに対向して径方向外側へ延びる一対の平板状をなす対向片１６Ａ、１６Ｂを有している。両対向片１６Ａ、１６Ｂは、図３に示すように、互いに平行で、かつ上下方向（高さ方向）及び幅方向（左右方向）に対して斜めに配置されている。両対向片１６Ａ、１６Ｂのうち、相対的に上側に位置する対向片（以下、上側対向片１６Ａ）には、その上側対向片１６Ａの中央よりやや上方に、孔１７が貫通して形成され、相対的に下側に位置する対向片（以下、下側対向片１６Ｂ）には、その下側対向片１６Ｂの中央よりやや下方に、同じく孔１７が貫通して形成されている。両孔１７は、両対向片１６Ａ、１６Ｂの板面と直角な向きに同軸で連通する形態とされている。そして、両対向片１６Ａ、１６Ｂの孔１７には、下方から６角ボルト等のボルト６０の軸部６１が貫通して挿入される。
【００２１】
ここで、両孔１７にボルト６０の軸部６１を通し、軸部６１の先端に６角ナット等のナット７０を嵌め付けて、軸部６１にナット７０をねじ込むことにより、ボルト６０の頭部６２とナット７０との間に両締付片１２が締め付けられて互いに接近し、それに伴って包囲部１１が次第に縮径してバッテリーポスト９０に固定されるようになっている。
【００２２】
下側対向片１６Ｂの前縁及び上縁には、この前縁及び上縁に沿ってリブ１８が、下側対向片１６Ｂの板面に対して略直角な向きで、かつ上側対向片１６Ａから離れる向きに折り曲げて形成されている。また、下側対向片１６Ｂの下縁には、この下縁に沿ってリブ１９が、下側対向片１６Ｂの板面に対して略直角な向きで、かつ上側対向片１６Ａ側へ向けて折り曲げて形成されている。
【００２３】
一方、上側対向片１６Ａの上縁及び下縁には、この上縁及び下縁に沿って折曲片２１が、下側対向片１６Ｂとは反対側へ折り返して形成されている。詳しくは折曲片２１は、上側対向片１６Ａの上縁及び下縁に連なる略Ｕ字形の回曲部２２と、回曲部２２の曲げ端に連なって上側対向片１６Ａの板面と略平行に配置される受け部２３とからなり、上側対向片１６Ａの孔１７の中心とほぼ同じ高さ位置の横スリット２４を挟んで、上下の受け部２３の延び端同士が互いに向き合って配置されている。また、折曲片２１は、上側対向片１６Ａの上縁及び下側の前後方向中央に形成された縦スリット２５を挟んで、前後で均等に分割されており、全体として上側対向片１６Ａの周方向に４分割されている。４分割された各折曲片２１の中央部には、上側対向片１６Ａの孔１７と整合する略４半円弧状、全体として円状の凹部２６が切り欠いて形成されている。凹部２６には、ボルト６０の軸部６１が挿入可能とされている。そして、各折曲片２１は、受け部２３と上側対向片１６Ａとの間に撓み空間２７を保有しており、回曲部２２を支点として撓み空間２７側へ弾性的に変形可能とされている。
【００２４】
さて、上側対向片１６Ａの板面のうち下側対向片１６Ｂと対向する下面には、図４に示すように、円筒状の筒部２９が、孔１７の周囲に突出して形成されている。筒部２９は、上側対向片１６Ａの下面における孔１７の周りを全周に亘って包囲するとともに、上側対向片１６Ａの下面に対して略直角な向きに突出する形態とされ、孔１７と同軸で連通する貫通孔２８を有している。筒部２９の突出端面は、上側対向片１６Ａの下面と略平行な円環状のフラット面２９Ａとされている。そして、筒部２９の突出量は、図６に示すように、ボルト６０とナット７０による締め付けがなされる前の両対向片１６Ａ、１６Ｂ間の離間距離の半分以下に抑えられ、リブ１９の突出量とほぼ同じとされている。かかる筒部２９は、例えば、プレスによるバーリング加工によって成形される。
【００２５】
実施形態１に係るバッテリーターミナル１０の構造は上述の通りであり、続いて、バッテリーターミナル１０の作用を説明する。
まず、両締付片１２の孔１７及び筒部２９の貫通孔２８に下方からボルト６０の軸部６１を通し、凹部２６から上方へ突き出る軸部６１の先端側にナット７０を緩くねじ込む（図５及び図６を参照）。このとき、ボルト６０の頭部６２は、下側対向片１６Ｂに対して斜め下方から着座させられる。また、ナット７０は、折曲片２１に対して斜め上方から着座させられ、折曲片２１の折り返しの外側面に面当たり状に当接する。それから、バッテリーポスト９０に包囲部１１を遊嵌状態で嵌める。
【００２６】
上記の状態で、ボルト６０の軸部６１にナット７０をインパクトレンチ等を用いてねじ込む。すると、両締付片１２が互いに接近するとともに、包囲部１１が徐々に縮径して、包囲部１１がバッテリーポスト９０の外周面にほぼ密着状態で接触する（図７及び図８を参照）。このねじ込みに伴い、上側対向片１６Ａがボルト６０とナット７０による締め付け力を受けてその平面性が保てなくなることが懸念されるが、筒部２９によって上側対向片１６Ａの剛性が高められているため、上側対向片１６Ａの平面性が維持される。また、筒部２９内にボルト６０の軸部６１が嵌合して挿入されることにより、ねじ込みに伴ってボルト６０の軸心がぶれることが防止される。さらに、ボルト６０の頭部６２がリブ１８に当接することにより、ねじ込みに伴うボルト６０の連れ回りが防止される。
【００２７】
こうして両締付片１２が正規に締め付けられると、筒部２９の突出端がリブ１９の先端に突き当たり、両締付片１２のそれ以上の締め付けが規制される。これにより、包囲部１１がバッテリーポスト９０に適正な締め付け力をもって固定される。このとき、ナット７０は、折曲片２１に弾性的に当接しており、折曲片２１のスプリングバックによってボルト６０の軸部６１に緊密に螺着されることになる。
【００２８】
以上説明したように実施形態１によれば、締付片１２の上側対向片１６Ａに、ボルト６０の軸部６１が貫通する筒部２９が、上側対向片１６Ａの孔１７の周囲に突出して形成されているから、上側対向片１６Ａがボルト６０とナット７０による締め付け力を受けたときに、その応力が筒部２９側に偏向して作用することとなり、これによって上側対向片１６Ａの平面性を保つことができる。その結果、上側対向片１６Ａひいては上側対向片１６Ａに連なる包囲部１１が塑性変形するのが回避され、バッテリーポスト９０に対する良好な締め付け固定力が確保される。
【００２９】
また、両締付片１２が締め付けられると、筒部２９の突出端が下側の締付片１２に当接するから、その当接位置からの締め付け動作が規制され、両締付片１２への過度締めが回避される。
【００３０】
また、折曲片２１のスプリングバックによってボルト６０とナット７０が緊密に締め付けられるから、ボルト６０とナット７０の緩みが防止される。この場合、ワッシャが不要とされるため、部品点数が削減される。さらに、折曲片２１が周方向に４つ分割して形成されているから、折曲片２１のスプリングバック作用方向がナット７０の周方向に略均等に分散され、ボルト６０とナット７０の緩みがより確実に防止される。
【００３１】
＜参考例＞
図９ないし図１１は、参考例に係るバッテリーターミナル１０Ａを示している。このバッテリーターミナル１０Ａには実施形態１における筒部２９が形成されておらず、上側の締付片１２の形態が実施形態１とは異なる。その他は実施形態１と同様であるため、実施形態１と同様の構成には同一符合を付し、重複する説明は省略する。
【００３２】
上側対向片１６Ａの前縁、上縁、及び下縁には、この前縁、上縁、及び下縁に沿って折曲片２１Ａ、２１Ｂ、２１Ｃが、下側対向片１６Ｂとは反対側へ折り返して形成されている。詳しくは折曲片２１Ａ、２１Ｂ、２１Ｃ２１は、上側対向片１６Ａの前縁、上縁、及び下縁に連なる略Ｕ字形の回曲部２２と、回曲部２２の曲げ端に連なって上側対向片１６Ａの板面と略平行に配置される受け部２３とを有し、上縁からの折り返しによる上側折曲片２１Ａ、前縁からの折り返しによる前側折曲片２１Ｂ、及び下縁からの折り返しによる下側折曲片２１Ｃによって構成されている。上側折曲片２１Ａは、上側対向片１６Ａの上縁の略後半部に連結され、前側折曲片２１Ｂは、上側対向片１６Ａの前縁の略上半部に連結され、下側折曲片２１Ｃは、上側対向片１６Ａの下縁の全長に亘って連結されている。
【００３３】
上側折曲片２１Ａの延び方向の側端（前端）と、前側折曲片２１Ｂの延び端（後端）とは、上側対向片１６Ａの前後方向中央に形成された縦スリット２５Ａを挟んで、互いに向き合って配置されている。そして、上側折曲片２１Ａの延び端（下端）及び前側折曲片２１Ｂの延び方向の側縁（下端）と、下側折曲片２１Ｃの延び端（上端）とは、上側対向片１６Ａの孔１７の中心とほぼ同じ高さ位置の横スリット２４Ａを挟んで、互いに向き合って配置されている。上側折曲片２１Ａの延び端の前側角部及び前側折曲片２１Ｂの延び端の下側角部には、略４半円弧状の凹部２６Ａが切り欠いて形成されている。また、下側折曲片２１Ｃの延び端の前後方向中央部には、略半円弧状の凹部２６Ｂが切り欠いて形成されている。これら凹部２６Ａ、２６Ｂは、各折曲片２１Ａ、２１Ｂ、２１Ｃ全体として円形に開口する形態とされ、ここにボルト６０の軸部６１が挿入可能とされている。
【００３４】
また、上側対向片１６Ａの上縁の略前半部には、この上縁に沿ってリブ３１が、上側対向片１６Ａの板面に対して略直角な向きで、かつ下側対向片１６Ｂ側へ向けて折り曲げて形成されている。ボルト６０とナット７０が正規に締め付けられると、上記リブ３１が下側対向片１６Ｂに当接するとともに、下側対向片１６Ｂ側のリブ１９が上側対向片１６Ａに当接し、これによって両締付片１２のそれ以上の締め付け動作が規制される。この場合、リブ３１と上側折曲片２１Ａとは、上側対向片１６Ａの上端の前後方向中央における縦スリット２５を挟んで、互いに分断されている。
【００３５】
また、各折曲片２１Ａ、２１Ｂ、２１Ｃの折り返しの外側面には、ナット７０の座面が面当たり状に当接するようになっている。受け部２３と上側対向片１６Ａとの間には撓み空間２７Ａが保有されており、各折曲片２１Ａ、２１Ｂ、２１Ｃは、ナット７０からの締め付け力を受けたときに、回曲部２２を支点として弾性的に変形して、受け部２３を撓み空間２７Ａ側へ傾倒させるようになっている。実施形態２によれば、実施形態１と同様、折曲片２１Ａ、２１Ｂ、２１Ｃのスプリングバックによってボルト６０とナット７０が緊密に締め付けられるから、ボルト６０とナット７０の緩みが防止される。また、専用のワッシャが不要とされるから、部品点数を削減できる。
【００３６】
＜他の実施形態＞
本発明は上記記述及び図面によって説明した実施形態に限定されるものではなく、例えば次のような実施形態も本発明の技術的範囲に含まれる。
（１）筒部は、上側対向片の上面、下側対向片の上面及び下面における孔の周囲に形成されるものであってもよい。また、筒部は、上側対向片の上面及び下面と下側対向片の上面及び下面のうちの２面以上に亘って形成されるものであってもよい。この場合、筒部は、ボルトの頭部を内嵌し、あるいはナットを内嵌又は外嵌するとよい。
（２）筒部は、周方向で部分的に切除されていてもよい。
（３）折曲片が締付片の周方向に５つ以上分割して形成されていてもよい。
（４）折曲片がボルトの頭部に当接するものであってもよい。
【符号の説明】
【００３７】
１０…バッテリーターミナル
１１…包囲部
１２…締付片
１７…孔
２１…折曲片
２９…筒部
６０…ボルト
６１…軸部
６２…頭部
７０…ナット
９０…バッテリーポスト
【図１】
2011134655.tif 000003
【図２】
2011134655.tif 000004
【図３】
2011134655.tif 000005
【図４】
2011134655.tif 000006
【図５】
2011134655.tif 000007
【図６】
2011134655.tif 000008
【図７】
2011134655.tif 000009
【図８】
2011134655.tif 000010
【図９】
2011134655.tif 000011
【図１０】
2011134655.tif 000012
【図１１】
2011134655.tif 000013